(57)【要約】【課題】  デジタル音声出力用のデータとして、チャンネル信号の欠落がなく、ポストプロセッシング回路での処理前のＰＣＭ音声データを選択することのできる音声再生装置及び集積回路装置を提供する。【解決手段】  音声ストリームが入力され、該音声ストリームが符号化された音声ストリームの場合に復号して信号出力する復号回路と、前記音声ストリームまたは前記復号回路から出力された信号が選択入力され、ポストプロセッシング処理を行って信号出力するポストプロセッシング回路と、前記ポストプロセッシング回路に対して選択入力された信号または前記ポストプロセッシング回路から出力された信号を選択出力する第１のセレクタと、前記音声ストリーム、前記復号回路から出力された信号、または前記ポストプロセッシング回路から出力された信号を選択出力する第２のセレクタと、を備えたことを特徴とする。【選択図】  図２
2005293729.tif 000002
【特許請求の範囲】
【請求項１】
音声ストリームが入力され、該音声ストリームが符号化された音声ストリームの場合に復号して信号出力する復号回路と、
前記音声ストリームまたは前記復号回路から出力された信号が選択入力され、ポストプロセッシング処理を行って信号出力するポストプロセッシング回路と、
前記ポストプロセッシング回路に対して選択入力された信号または前記ポストプロセッシング回路から出力された信号を選択出力する第１のセレクタと、
前記音声ストリーム、前記復号回路から出力された信号、または前記ポストプロセッシング回路から出力された信号を選択出力する第２のセレクタと、
を備えたことを特徴とする集積回路装置。
【請求項２】
前記音声ストリームまたは前記復号回路から出力された信号が入力され、該入力がマルチチャンネルＰＣＭ音声データの場合に２チャンネルのＰＣＭ音声データにダウンミキシングして出力するダウンミキシング回路を更に備え、
前記ポストプロセッシング回路は、前記音声ストリームまたは前記復号回路から出力された信号に加えて、前記ダウンミキシング回路から出力された信号が選択入力され、ポストプロセッシング処理を行って信号出力し、
前記第２のセレクタは、前記音声ストリーム、前記復号回路から出力された信号、または前記ポストプロセッシング回路から出力された信号に加えて、前記ダウンミキシング回路から出力された信号を選択出力する
ことを特徴とする集積回路装置。
【請求項３】
前記第１のセレクタから出力される信号は、アナログ信号に変換して出力するデジタル−アナログ変換回路に供給されることを特徴とする請求項１または請求項２に記載の集積回路装置。
【請求項４】
前記第２のセレクタから出力される信号は、デジタル音声データの通信規格に対応したデジタル信号に変換して出力するデータ変換回路に供給されることを特徴とする請求項１乃至３いずれか１項に記載の集積回路装置。
【請求項５】
音声ストリームが入力され、該音声ストリームが符号化された音声ストリームの場合に復号して信号出力する復号回路と、
前記音声ストリームまたは前記復号回路から出力された信号が選択入力され、ポストプロセッシング処理を行って信号出力するポストプロセッシング回路と、
前記ポストプロセッシング回路に対して選択入力された信号または前記ポストプロセッシング回路から出力された信号を選択出力する第１のセレクタと、
前記音声ストリーム、前記復号回路から出力された信号、または前記ポストプロセッシング回路から出力された信号を選択出力する第２のセレクタと、
前記第１のセレクタから出力された信号が供給され、アナログ信号に変換して出力するデジタル−アナログ変換回路と、
前記第２のセレクタから出力された信号が供給され、デジタル音声データの通信規格に対応したデジタル信号に変換して出力するデータ変換回路と、
前記デジタル−アナログ変換回路から出力されたアナログ信号が供給されるアナログ音声データ出力端子と、
前記データ変換回路から出力されたデジタル信号が供給されるデジタル音声データ出力端子と、
を備えたことを特徴とする音声再生装置。
【発明の詳細な説明】
【技術分野】
【０００１】
本発明は、音声信号をデジタル出力する音声再生装置及び集積回路装置に関するものである。
【背景技術】
【０００２】
ＤＶＤ再生機では、ＣＤ（Compact Disc）やＤＶＤ（Digital Versatile Disc）などの記録媒体に記録されたデータは光学式ピックアップ等で読み取られた後、復調回路で復調され、信号処理回路でエラー訂正等の信号処理が施される。信号処理回路の出力データの中から抜き出された音声ストリームは、音声処理回路へと供給される。音声ストリームが圧縮された符号化データの場合は、音声ストリームは音声処理回路にて元のデジタル音声データであるＰＣＭ（Pulse Code Modulation）音声データに復号化処理され、セレクタを介してＰＣＭ音声データとして後段に出力される。一方、音声ストリームがＰＣＭ音声データの場合には、そのままＰＣＭ音声データとして前記セレクタを介して後段に出力される。このようなＤＶＤ再生機については、例えば参考文献１に開示されている。
【０００３】
前記セレクタの後段のポストプロセッシング回路からは、入力されたＰＣＭ音声データに対してバーチャルサラウンドやプロロジックなどのポストプロセッシング処理が行われた信号、またはポストプロセッシング回路に入力されたＰＣＭ音声データが択一的に選択出力される。ポストプロセッシング回路から出力された信号は、デジタル−アナログ変換回路であるＤＡＣ（Digital-Analog Converter）を介してアナログ音声信号に変換された後、増幅回路にて増幅が行われ、スピーカーに供給されることによって音声再生が行われる。
【０００４】
また、アナログ音声出力とは別に、音声ストリームまたはポストプロセッシング回路からの出力信号が択一的に選択され、デジタル音声データの通信規格であるＩＥＣ６０９５８規格またはＩＥＣ６１９３７規格（以下、総称してＩＥＣ９５８規格と称する）に対応したデジタル信号に変換されてデジタル出力が行われる。デジタル信号として符号化データを出力する場合は音声ストリームが選択され、ＰＣＭ音声データを出力する場合はポストプロセッシング回路からの出力データが選択出力される。
【０００５】
ところで、ＩＥＣ９５８規格で出力されるデジタル音声データでは、その規格上、ＰＣＭ音声データの場合は２チャンネル分しかデジタル音声データに載せることができない。このため、従来のＤＶＤ再生機では、音声処理回路での復号化処理や、ポストプロセッシング回路でのプロロジック等の処理の結果、出力がマルチチャンネルＰＣＭ音声データとなる場合には、２チャンネル分（例えば５．１マルチチャンネル（Ｌ、Ｃ、Ｒ、Ｌｓ、Ｒｓ、ＬＦＥ）のＰＣＭ音声データの場合は、そのうちのフロントのＬ、Ｒチャンネル分）しかデータ出力に載せることができず、他のチャンネル信号は欠落させざるを得なかった。このため、外部ＤＡＣでこのようなＩＥＣ９５８規格のデジタル出力信号を受けて音声再生した場合には、センター（Ｃ）やリアのサラウンド（Ｌｓ、Ｒｓ）、及びサブウーハー（ＬＦＥ；Low Frequency Effect）の音声が抜けた音声しか再生することができなかった。また、このデジタル出力信号を外部機器で録音した場合にも同様に、センターやリアの音が抜けてしまうという問題点があった。
【０００６】
また、従来のＤＶＤ再生機では、ポストプロセッシング回路でバーチャルサラウンド処理を原音のＰＣＭ音声データに対して施した場合には、デジタル出力される信号もバーチャルサラウンド処理された信号となってしまうため、このデジタル出力信号を外部機器で録音した場合にはバーチャルサラウンドのまま録音されてしまうこととなり、原音録音ができないという問題点もあった。
【特許文献１】米国特許第６２７２１５３号明細書
【発明の開示】
【発明が解決しようとする課題】
【０００７】
本発明の目的は、デジタル音声出力用のデータとして、チャンネル信号の欠落がなく、ポストプロセッシング回路での処理前のＰＣＭ音声データを選択することのできる音声再生装置及び集積回路装置を提供することである。
【課題を解決するための手段】
【０００８】
本発明の一実施形態の集積回路装置は、音声ストリームが入力され、該音声ストリームが符号化された音声ストリームの場合に復号して信号出力する復号回路と、前記音声ストリームまたは前記復号回路から出力された信号が選択入力され、ポストプロセッシング処理を行って信号出力するポストプロセッシング回路と、前記ポストプロセッシング回路に対して選択入力された信号または前記ポストプロセッシング回路から出力された信号を選択出力する第１のセレクタと、前記音声ストリーム、前記復号回路から出力された信号、または前記ポストプロセッシング回路から出力された信号を選択出力する第２のセレクタと、を備えたことを特徴とする。
【０００９】
また、本発明の一実施形態の音声再生装置は、音声ストリームが入力され、該音声ストリームが符号化された音声ストリームの場合に復号して信号出力する復号回路と、前記音声ストリームまたは前記復号回路から出力された信号が選択入力され、ポストプロセッシング処理を行って信号出力するポストプロセッシング回路と、前記ポストプロセッシング回路に対して選択入力された信号または前記ポストプロセッシング回路から出力された信号を選択出力する第１のセレクタと、前記音声ストリーム、前記復号回路から出力された信号、または前記ポストプロセッシング回路から出力された信号を選択出力する第２のセレクタと、前記第１のセレクタから出力された信号が供給され、アナログ信号に変換して出力するデジタル−アナログ変換回路と、前記第２のセレクタから出力された信号が供給され、デジタル音声データの通信規格に対応したデジタル信号に変換して出力するデータ変換回路と、前記デジタル−アナログ変換回路から出力されたアナログ信号が供給されるアナログ音声データ出力端子と、前記データ変換回路から出力されたデジタル信号が供給されるデジタル音声データ出力端子と、を備えたことを特徴とする。
【発明の効果】
【００１０】
本発明によれば、デジタル音声出力用のデータとして、チャンネル信号の欠落がなく、ポストプロセッシング回路での処理前のＰＣＭ音声データを選択することのできる音声再生装置及び集積回路装置を提供することが可能となる。
【発明を実施するための最良の形態】
【００１１】
以下、図面を参照して本発明の一実施形態の音声再生装置について説明する。説明に際し、全図にわたり、共通する部分には共通する参照符号を付す。
【００１２】
［第１の実施形態］
図１は第１の実施形態に係る音声再生装置の構成を示すブロック図である。図１において、音声再生装置の各構成部は、制御装置である制御用ＣＰＵ１００からの制御指示に基づいて動作制御がされている。記録媒体であるＣＤやＤＶＤなどのディスク１０１は、スピンドルモータ１０２によって回転される。ディスク１０１に記録されているデータを読み取るための信号抽出手段である光学式ピックアップ１０３は、半導体レーザーや光電変換素子などを内蔵しており、前記ディスク１０１の回転中にトラックに光を出射し、ディスク上のトラックから反射して戻ってくるあるいはトラックを透過した光の光量の変化を検出することにより、ディスク１０１に記録されたデータを読み取り、電気信号として出力する。
【００１３】
ヘッドアンプ１０４は、情報信号生成回路として、光学式ピックアップ１０３からの出力信号の増幅・波形等化処理を行い、フォーカスエラー信号やトラッキングエラー信号を抽出し、これをサーボ制御回路１０５に供給するとともに、データ信号を二値化して信号処理回路１０６へ供給する。
【００１４】
信号処理回路１０６は、ディスクに記録しやすいように変調されていたデータ信号を元の形に戻すための復調処理や、誤り訂正処理などを行い、デジタルデータ信号として出力する。ＤＶＤの場合は、映像、音声、字幕がそれぞれの識別子を備えながら１本のデジタルデータ信号となっているため、その識別子に従い前記デジタルデータ信号のストリーム分離を行う。
【００１５】
前記デジタルデータ信号の中から抜き出された映像ストリームは、映像処理回路１０７に供給される。映像処理回路１０７では、ＭＰＥＧ２ビデオデコーダ１０８にて、入力された映像ストリームを元の映像データへと復号化する。復号化された映像データは色差データであることから、エンコーダ１０９にてＮＴＳＣ方式やＰＡＬ方式にエンコードされた後、ＤＡＣ１１０へと供給される。ＤＡＣ１１０からの出力信号はビデオデータ出力となり、ビデオデータ出力端子１１６を介してビデオ出力される。
【００１６】
一方、前記デジタルデータ信号の中から抜き出された音声ストリーム、若しくは前記デジタルデータ信号そのものである音声ストリームは、音声処理回路１１１に供給される。音声処理回路１１１では、音声ストリームが符号化データの場合には、符号化に対応した音声復号回路１１２にて、入力された音声ストリームを元のＰＣＭ音声データへと復号化する。ＰＣＭ音声データに対しては、ポストプロセッシング回路１１３にてバーチャルサラウンドやプロロジックなどのポストプロセッシング処理が施される。
【００１７】
音声処理回路１１１からは、ポストプロセッシング回路１１３での処理前のＰＣＭ音声データ、またはポストプロセッシング回路１１３での処理後のＰＣＭ音声データが択一的に選択出力される。このデジタル出力はＤＡＣ１１４へと供給される。ＤＡＣ１１４からの出力はアナログ音声データ出力となり、音声再生装置のアナログ音声データ出力端子１１７を介して図示しないスピーカーやヘッドホンシステムに供給されて音声再生される。
【００１８】
また、音声処理回路１１１からは、アナログ音声出力用のデジタル出力とは別に、音声ストリーム、音声復号回路１１２、またはポストプロセッシング回路１１３からの出力信号が択一的に選択出力される。このデジタル出力はデジタル音声データの通信規格に対応したデータ変換回路であるＩＥＣ９５８トランシーバ１１５へと供給される。ＩＥＣ９５８トランシーバでは、入力されたデジタル信号に対してＩＥＣ６０９５８規格またはＩＥＣ６１９３７規格（総称してＩＥＣ９５８規格と称する）に対応したデジタル信号への変換が行われる。
【００１９】
なお、デジタル音声データの通信規格に対応したデジタル信号への変換とは、変換後の信号が該通信規格に完全に一致するようなデータ変換だけを意味するものではなく、その規格に準じた変換をも含めるものとする。例えば、ＩＥＣ９５８トランシーバ１１５からの出力としてはＩＥＣ９５８規格に準じたデジタル信号であってもよく、その場合は図示しない別の回路を介することにより、最終的にＩＥＣ９５８規格に一致したデジタル信号へと変換が行われる。ＩＥＣ９５８規格に一致するよう変換されたデジタル信号は、音声再生装置のデジタル音声データ出力端子１１８を介してデジタル出力される。
【００２０】
なお、ＩＥＣ９５８トランシーバ１１５に対しては、ＰＣＭ音声データの場合であれば通常は２チャンネルＰＣＭ音声データが入力されるが、入力信号がマルチチャンネルＰＣＭ音声データの場合には、その規格上、マルチチャンネルデータ中のＬ、Ｒの２チャンネル分のＰＣＭ音声データのみが選択されて変換出力が行われることとなる。
【００２１】
図２は、第１の実施形態に係る音声処理回路１１１の構成をより具体的に示したブロック図である。図１の信号処理回路１０６から供給される音声ストリーム１は、音声復号回路２及びセレクタ３へ供給される。音声ストリーム１が符号化データの場合、音声ストリーム１は、符号化に対応した音声復号回路２にて元の２チャンネル（ステレオ）のＰＣＭ音声データに復号化される。音声復号回路２にて復号化されたＰＣＭ音声データは、セレクタ３へ供給される。セレクタ３では、入力されたデータの中からＰＣＭ音声データが択一的に選択出力される。音声ストリーム１が符号化されていない２チャンネルのＰＣＭ音声データの場合には、セレクタ３にて音声ストリーム１が選択出力される。
【００２２】
セレクタ３から出力されたＰＣＭ音声データは、ポストプロセッシング回路４及びセレクタ５へ供給される。ポストプロセッシング回路４では、供給されたＰＣＭ音声データに対して、２チャンネルでのバーチャルサラウンド処理やプロロジック等のマルチチャンネル化の処理が施される。ポストプロセッシング回路４にてポストプロセッシング処理が施されたＰＣＭ音声データは、セレクタ５へ供給される。セレクタ５では、ポストプロセッシング回路４でのポストプロセッシング処理の前後のＰＣＭ音声データが択一的に選択出力される。セレクタ５からのＰＣＭ音声データ出力は、アナログ音声データ出力用のＤＡＣ１１４へと供給される。
【００２３】
また、音声ストリーム１、セレクタ３から出力されたＰＣＭ音声データ、セレクタ５から出力されたＰＣＭ音声データは、セレクタ６へと供給される。ここで、セレクタ３から出力されるＰＣＭ音声データとは、音声ストリーム１または音声復号回路２にて復号化されたＰＣＭ音声データである。また、セレクタ５から出力されるＰＣＭ音声データとは、ポストプロセッシング回路４に選択入力される前記セレクタ３から出力されたＰＣＭ音声データ、またはポストプロセッシング回路４から出力された信号である。すなわち、セレクタ６には、音声ストリーム１、音声復号回路２にて復号化されたＰＣＭ音声データ、またはポストプロセッシング回路４から出力されたＰＣＭ音声データが供給されることとなる。
【００２４】
セレクタ６からは供給された信号が択一的に選択出力され、ＩＥＣ９５８トランシーバ１１５へと供給される。セレクタ６では、ＩＥＣ９５８トランシーバ１１５へ供給するためのデジタル出力として、符号化データ若しくはＰＣＭ音声データである音声ストリーム１を出力する場合は音声ストリーム１が選択され、ポストプロセッシング処理前の復号化されたＰＣＭ音声データを出力する場合はセレクタ３からのＰＣＭ音声データ出力が選択され、ポストプロセッシング処理が施されたＰＣＭ音声データを出力する場合はセレクタ５からのＰＣＭ音声データが選択される。
【００２５】
このような第１の実施形態の構成によれば、アナログ音声データ出力用としてポストプロセッシング回路にてＰＣＭ音声データに対して、ポストプロセッシング処理の一つであるプロロジック等のマルチチャンネル化処理を施している場合でも、ＩＥＣ９５８トランシーバへのデジタル出力用にはプロロジック処理前の２チャンネルのＰＣＭ音声データの出力が可能となるため、ＩＥＣ９５８トランシーバからのデジタル音声データ出力を外部ＤＡＣで受けて再生した場合でも、センターやリアの音声を含んだ本来の音声データを再生することが可能となる。また、同様に、ＩＥＣ９５８トランシーバからのデジタル音声データを外部機器で録音する場合でも、センターやリアの音声を含んだ本来の音声データを録音することが可能になる。
【００２６】
また、ポストプロセッシング回路にてＰＣＭ音声データに対してバーチャルサラウンド処理を施している場合でも、ＩＥＣ９５８トランシーバへのデジタル出力用にはバーチャルサラウンド処理前のＰＣＭ音声データの出力が可能となるため、ＩＥＣ９５８トランシーバからのデジタル音声データ出力を外部機器で録音する場合でも、バーチャルサラウンド処理前の本来の音声データの録音が可能になる。
【００２７】
なお、本実施形態の音声処理回路１１１は、半導体基板などの上に回路形成される集積回路装置として構成される。この集積回路装置としては、音声処理回路１１１に加えて、ＤＡＣ１１４やＩＥＣ９５８トランシーバ１１５のいずれか一方またはその両方を１チップ上に形成して構成したものであってもよいし、夫々異なる回路機能を有する複数チップを１パッケージ内に含めるようにして構成したものであってもよい。
【００２８】
［第２の実施形態］
次に、第２の実施形態に係る音声再生装置について説明する。第２の実施形態は、図１に示した第１の実施形態とは音声処理回路１１１の内部構成が異なるだけであるので、音声処理回路の構成についてのみ説明することとする。
【００２９】
図３は、第２の実施形態に係る音声処理回路１１１の構成を示したブロック図である。図１の信号処理回路１０６から供給される音声ストリーム１１は、音声復号回路１２及びセレクタ１３へ供給される。音声ストリーム１１が符号化データの場合、音声ストリーム１１は、符号化に対応した音声復号回路１２にてＰＣＭ音声データに復号化される。音声復号回路１２にて復号化されたＰＣＭ音声データは、セレクタ１３へ供給される。このとき、復号化されたＰＣＭ音声データがマルチチャンネルのＰＣＭ音声データの場合には、復号化されたＰＣＭ音声データはダウンミキシング回路１７へも供給され、２チャンネルのＰＣＭ音声データへとダウンミキシングが行われる。また、音声ストリーム１１が符号化されていないマルチチャンネルのＰＣＭ音声データの場合には、音声ストリーム１１がダウンミキシング回路１７へと供給され、２チャンネルのＰＣＭ音声データへとダウンミキシングが行われる。ダウンミキシング回路１７からの出力はセレクタ１３へと供給される。
【００３０】
セレクタ１３では、入力されたデータの中からＰＣＭ音声データが択一的に選択出力される。セレクタ１３から出力された２チャンネルまたはマルチチャンネルのＰＣＭ音声データは、ポストプロセッシング回路１４及びセレクタ１５へ供給される。ポストプロセッシング回路１４では、供給された２チャンネルのＰＣＭ音声データに対して、バーチャルサラウンド処理やプロロジック等のマルチチャンネル化の処理が施される。ポストプロセッシング回路１４にてポストプロセッシング処理が施されたＰＣＭ音声データは、セレクタ１５へ供給される。セレクタ１５では、ポストプロセッシング回路１４でのポストプロセッシング処理の前後のＰＣＭ音声データが選択出力される。セレクタ１５からのＰＣＭ音声データ出力は、アナログ音声データ出力用のＤＡＣ１１４へと供給される。
【００３１】
また、音声ストリーム１１、音声復号回路１２にて復号化されたＰＣＭ音声データ、ダウンミキシング回路１７から出力されたＰＣＭ音声データ、セレクタ１５から出力されたＰＣＭ音声データは、セレクタ１６へと供給される。ここで、セレクタ１５から出力されるＰＣＭ音声データとは、ポストプロセッシング回路１４に選択入力される前記セレクタ１３から出力されたＰＣＭ音声データ、またはポストプロセッシング回路１４から出力された信号である。すなわち、セレクタ１６には、音声ストリーム１１、音声復号回路１２にて復号化されたＰＣＭ音声データ、ダウンミキシング回路１７から出力されたＰＣＭ音声データ、またはポストプロセッシング回路４から出力されたＰＣＭ音声データが供給されることとなる。
【００３２】
セレクタ１６からは供給された信号が択一的に選択出力され、ＩＥＣ９５８トランシーバ１１５へと供給される。ここで、セレクタ１６では、ＩＥＣ９５８トランシーバ１１５へ供給するデジタル出力として、符号化データ若しくはＰＣＭ音声データである音声ストリーム１１を出力する場合は音声ストリーム１１が選択され、ポストプロセッシング処理前のＰＣＭ音声データであって２チャンネルの復号化されたＰＣＭ音声データを出力する場合は音声復号回路１２またはダウンミキシング回路１７からのＰＣＭ音声データ出力が選択され、ポストプロセッシング処理が施されたＰＣＭ音声データを出力する場合はセレクタ１５からのＰＣＭ音声データが選択される。
【００３３】
このような第２の実施形態の構成によれば、アナログ音声データ出力用としてポストプロセッシング回路にてＰＣＭ音声データに対して、ポストプロセッシング処理の一つであるプロロジック等のマルチチャンネル化処理を施している場合でも、ＩＥＣ９５８トランシーバへのデジタル出力用にはプロロジック処理前の２チャンネルのＰＣＭ音声データの出力が可能となるため、ＩＥＣ９５８トランシーバからのデジタル音声データ出力を外部ＤＡＣで受けて再生した場合でも、センターやリアの音声を含んだ本来の音声データを再生することが可能となる。また、同様に、ＩＥＣ９５８トランシーバからのデジタル音声データを外部機器で録音する場合でも、センターやリアの音声を含んだ本来の音声データを録音することが可能になる。
【００３４】
また、ポストプロセッシング回路にてＰＣＭ音声データに対してバーチャルサラウンド処理を施している場合でも、ＩＥＣ９５８トランシーバへのデジタル出力用にはバーチャルサラウンド処理前のＰＣＭ音声データの出力が可能となるため、ＩＥＣ９５８トランシーバからのデジタル音声データ出力を外部機器で録音する場合でも、バーチャルサラウンド処理前の本来の音声データの録音が可能になる。
【００３５】
また、第２の実施形態の構成によれば、第１の実施形態の構成で得られる効果に加えて、音声ストリーム自体がマルチチャンネルＰＣＭ音声データの場合や、符号化された音声ストリームを復号化処理して得られるＰＣＭ音声データがマルチチャンネルＰＣＭ音声データである場合でも、ＩＥＣ９５８トランシーバへのデジタル出力用にはダウンミキシングした２チャンネルのＰＣＭ音声データの出力が可能となるため、ＩＥＣ９５８トランシーバからのデジタル音声データ出力を外部ＤＡＣで受けて再生した場合でも、センターやリアの音声を含んだ本来の音声データを再生することが可能となる。
【００３６】
また同様に、ＩＥＣ９５８トランシーバからのデジタル音声データを外部機器で録音する場合でも、センターやリアの音声を含んだ本来の音声データを録音することが可能になる。
【００３７】
なお、本実施形態の音声処理回路１１１は、半導体基板などの上に回路形成される集積回路装置として構成される。この集積回路装置としては、音声処理回路１１１に加えて、ＤＡＣ１１４やＩＥＣ９５８トランシーバ１１５のいずれか一方またはその両方を１チップ上に形成して構成したものであってもよいし、夫々異なる回路機能を有する複数チップを１パッケージ内に含めるようにして構成したものであってもよい。
【００３８】
［第３の実施形態］
次に、第３の実施形態に係る音声再生装置について説明する。第３の実施形態は、第２の実施形態の説明の場合と同じく、図１に示した第１の実施形態とは音声処理回路１１１の内部構成が異なるだけであるので、音声処理回路の構成についてのみ説明することとする。
【００３９】
図４は、第３の実施形態に係る音声処理回路１１１の構成を示したブロック図である。図１の信号処理回路１０６から供給される音声ストリーム２１は、音声復号回路２２及びセレクタ２３へ供給される。音声ストリーム２１が符号化データの場合、音声ストリーム２１は、符号化に対応した音声復号回路２２にてＰＣＭ音声データに復号化される。
【００４０】
音声復号回路２２では、入力された符号化された音声ストリーム２１に対して第１の音声復号回路２７及び拡張用復号回路である第２の音声復号回路にて復号化を行う。第１の復号回路２７及び第２の復号回路２８からは、入力された音声ストリーム２１がマルチチャンネルのＰＣＭ音声データを符号化した信号であっても２チャンネルのＰＣＭ音声データが出力される。具体的には、第１の復号回路２７からは、マルチチャンネル（Ｌ、Ｃ、Ｒ、Ｌｓ、Ｒｓ、ＬＦＥ）の各チャンネル成分を包含した状態（いわゆるマルチチャンネルＰＣＭ音声データをダウンミキシングした状態）の２チャンネルのＰＣＭ音声データが出力される。また、拡張用復号回路である第２の復号回路２８からは、前記第１の復号回路２７からの出力とは異なり、マルチチャンネルの各チャンネル成分のうちステレオ成分（ＬとＲ）のチャンネル成分を除いた状態のＰＣＭ音声データが出力される。
【００４１】
マトリクス回路２９では、これら第１の復号回路２７及び拡張用復号回路である第２の復号回路から出力されるＰＣＭ音声データを入力し、第１の復号回路２７から出力されたＰＣＭ音声データのステレオ成分（ＬとＲ）と、第２の復号回路２８から出力されたステレオ成分を除いたＰＣＭ音声データのマルチチャンネル成分（Ｃ、Ｌｓ、Ｒｓ、ＬＦＥ）を用いて、マルチチャンネルＰＣＭ音声データ（Ｌ、Ｃ、Ｒ、Ｌｓ、Ｒｓ、ＬＦＥ）を生成する。第１の復号回路２７にて復号化されて出力された２チャンネルのＰＣＭ音声データ及びマトリクス回路２９にて生成され出力されたマルチチャンネルのＰＣＭ音声データは、セレクタ２３へ供給される。
【００４２】
セレクタ２３では、入力されたデータの中からＰＣＭ音声データが択一的に選択出力される。セレクタ２３から出力された２チャンネルまたはマルチチャンネルのＰＣＭ音声データは、ポストプロセッシング回路２４及びセレクタ２５へ供給される。ポストプロセッシング回路２４では、供給された２チャンネルのＰＣＭ音声データに対して、バーチャルサラウンド処理やプロロジック等のマルチチャンネル化の処理が施される。ポストプロセッシング回路２４にてポストプロセッシング処理が施されたＰＣＭ音声データは、セレクタ２５へ供給される。セレクタ２５では、ポストプロセッシング回路２４でのポストプロセッシング処理の前後のＰＣＭ音声データが選択出力される。セレクタ２５からのＰＣＭ音声データ出力は、アナログ音声データ出力用のＤＡＣ１１４へと供給される。
【００４３】
また、音声ストリーム２１、第１の復号回路２７から出力された２チャンネルのＰＣＭ音声データ、セレクタ２５から出力されたＰＣＭ音声データは、セレクタ２６へと供給される。ここで、セレクタ２５から出力されるＰＣＭ音声データとは、ポストプロセッシング回路２４に選択入力される前記セレクタ２３から出力されたＰＣＭ音声データ、またはポストプロセッシング回路２４から出力された信号である。すなわち、セレクタ２６には、音声ストリーム２１、第１の音声復号回路２７にて復号化されたＰＣＭ音声データ、またはポストプロセッシング回路２４から出力されたＰＣＭ音声データが供給されることとなる。
【００４４】
セレクタ２６からは供給された信号が択一的に選択出力され、ＩＥＣ９５８トランシーバ１１５へと供給される。ここで、セレクタ２６では、ＩＥＣ９５８トランシーバ１１５へ供給するデジタル出力として、符号化データ若しくはＰＣＭ音声データである音声ストリーム２１を出力する場合は音声ストリーム２１が選択され、ポストプロセッシング処理前のＰＣＭデータであって２チャンネルの復号化されたＰＣＭ音声データを出力する場合は第１の音声復号回路２７からのＰＣＭ音声データ出力が選択され、ポストプロセッシング処理が施されたＰＣＭ音声データを出力する場合はセレクタ２５からのＰＣＭ音声データが選択される。
【００４５】
このような第３の実施形態の構成によれば、アナログ音声データ出力用としてポストプロセッシング回路にてＰＣＭ音声データに対して、ポストプロセッシング処理の一つであるプロロジック等のマルチチャンネル化処理を施している場合でも、ＩＥＣ９５８トランシーバへのデジタル出力用にはプロロジック処理前の２チャンネルのＰＣＭ音声データの出力が可能となるため、ＩＥＣ９５８トランシーバからのデジタル音声データ出力を外部ＤＡＣで受けて再生した場合でも、センターやリアの音声を含んだ本来の音声データを再生することが可能となる。また、同様に、ＩＥＣ９５８トランシーバからのデジタル音声データを外部機器で録音する場合でも、センターやリアの音声を含んだ本来の音声データを録音することが可能になる。
【００４６】
また、ポストプロセッシング回路にてＰＣＭ音声データに対してバーチャルサラウンド処理を施している場合でも、ＩＥＣ９５８トランシーバへのデジタル出力用にはバーチャルサラウンド処理前のＰＣＭ音声データの出力が可能となるため、ＩＥＣ９５８トランシーバからのデジタル音声データ出力を外部機器で録音する場合でも、バーチャルサラウンド処理前の本来の音声データの録音が可能になる。
【００４７】
また、第３の実施形態の構成によれば、第１の実施形態の構成で得られる効果に加えて、音声ストリーム自体がマルチチャンネルＰＣＭ音声データや符号化されたマルチチャンネルＰＣＭ音声データである場合でも、ＩＥＣ９５８トランシーバへのデジタル出力用には２チャンネルのＰＣＭ音声データの出力が可能となるため、ＩＥＣ９５８トランシーバからのデジタル音声データ出力を外部ＤＡＣで受けて再生した場合でも、センターやリアの音声を含んだ本来の音声データを再生することが可能となる。
【００４８】
また同様に、ＩＥＣ９５８トランシーバからのデジタル音声データを外部機器で録音する場合でも、センターやリアの音声を含んだ本来の音声データを録音することが可能になる。
【００４９】
なお、本実施形態の音声処理回路１１１は、半導体基板などの上に回路形成される集積回路装置として構成される。この集積回路装置としては、音声処理回路１１１に加えて、ＤＡＣ１１４やＩＥＣ９５８トランシーバ１１５のいずれか一方またはその両方を１チップ上に形成して構成したものであってもよいし、夫々異なる回路機能を有する複数チップを１パッケージ内に含めるようにして構成したものであってもよい。
【００５０】
以上、本発明の実施形態について説明したが、本発明は上記実施形態の説明で示した回路構成に限定されるものではない。例えば、上記各実施形態における構成では、セレクタ６、１６、２６へ供給する信号の一つとして、それぞれセレクタ５、１５、２５からの選択出力を供給する構成としたが、セレクタ５、１５、２５からセレクタ６、１６、２６へは少なくともポストプロセッシング回路４、１４、２４からの出力が供給できれば各実施形態の構成と実質的に同じ回路機能が得られることから、各実施形態においてポストプロセッシング回路４、１４、２４からの出力を、セレクタ５、１５、２５を介さずにセレクタ６、１６、２６へ供給するよう回路構成することが可能である。
【００５１】
また、上記実施形態の説明では音声再生装置の一例としてＣＤやＤＶＤなどのディスク媒体を再生するディスク再生機を例に挙げて説明したが、ハードディスクや半導体メモリのような他の記録媒体に記録された音声データや、外部から送信されてくる音声データを受信して再生するような音声再生装置であっても、また、そのような音声再生装置に用いられる集積回路装置であっても、本発明を適用することが可能である。すなわち、本発明は、本発明の要旨を変更しない範囲で適宜回路構成を変更して実施することが可能である。
【図面の簡単な説明】
【００５２】
【図１】第１の実施形態に係る音声再生装置の構成を示すブロック図である。
【図２】第１の実施形態に係る音声再生装置における音声処理回路の構成を示したブロック図である。
【図３】第２の実施形態に係る音声再生装置における音声処理回路の構成を示したブロック図である。
【図４】第３の実施形態に係る音声再生装置における音声処理回路の構成を示したブロック図である。
【符号の説明】
【００５３】
１、１１、２１…音声ストリーム、
２、１２、２２、１１２…音声復号回路、
３、５、６、１３、１５、１６、２３、２５、２６…セレクタ、
４、１４、２４、１１３…ポストプロセッシング回路、
１７…ダウンミキシング回路、
２７…第１の復号回路、
２８…第２の復号回路、
２９…マトリクス回路、
１００…ＣＰＵ
１０１…ディスク、
１０２…スピンドルモータ、
１０３…光学式ピックアップ、
１０４…ヘッドアンプ、
１０５…サーボ制御回路、
１０６…信号処理回路、
１０７…映像処理回路、
１０８…ＭＰＥＧ２ビデオデコーダ
１０９…エンコーダ
１１０、１１４…ＤＡＣ、
１１１…音声処理回路、
１１５…ＩＥＣ９５８トランシーバ、
１１６…ビデオデータ出力端子、
１１７…アナログ音声データ出力端子、
１１８…デジタル音声データ出力端子。
【図１】
2005293729.tif 000003
【図２】
2005293729.tif 000004
【図３】
2005293729.tif 000005
【図４】
2005293729.tif 000006
【手続補正書】
【提出日】平成17年5月11日(2005.5.11)
【手続補正１】
【補正対象書類名】特許請求の範囲
【補正対象項目名】請求項２
【補正方法】変更
【補正の内容】
【請求項２】
前記音声ストリームまたは前記復号回路から出力された信号が入力され、該入力がマルチチャンネルＰＣＭ音声データの場合に２チャンネルのＰＣＭ音声データにダウンミキシングして出力するダウンミキシング回路を更に備え、
前記ポストプロセッシング回路は、前記音声ストリームまたは前記復号回路から出力された信号に加えて、前記ダウンミキシング回路から出力された信号が選択入力され、ポストプロセッシング処理を行って信号出力し、
前記第２のセレクタは、前記音声ストリーム、前記復号回路から出力された信号、または前記ポストプロセッシング回路から出力された信号に加えて、前記ダウンミキシング回路から出力された信号を選択出力することを特徴とする請求項１に記載の集積回路装置。